(57)【要約】【課題】ヒップからヒップ側裾部にかけてのフィット感を高めた女性用下着を提供する。【課題を解決するための手段】マチ３を介して前身頃１と後身頃２とを縫着し、且つ、腰部で前身頃１と後身頃２とを縫着して形成した女性用下着Ａである。ヒップを覆う後身頃本体２０の裾部２１に縫着される裾布３０は三枚の独立した裾布ピース３１，３２，３３で構成されている。後身頃本体２０の裾部２１に縫着される裾布ピース３１，３２，３３の凹円弧辺３１ａ，３２ａ，３３ａの半径Ｒ１は反対側の凸円弧辺３１ｂ，３２ｂ，３３ｂの半径Ｒ２より大に構成されている。凹円弧辺３１ａ，３２ａ，３３ａの長さが凸円弧辺３１ｂ，３２ｂ，３３ｂの長さよりそれぞれ大に形成されている。【選択図】図４
2015025219.tif 000002
【特許請求の範囲】
【請求項１】
マチを介して前身頃と後身頃とを縫着し、且つ、腰部で前身頃と後身頃とを縫着して形成した女性用下着であって、
ヒップを覆う後身頃本体の裾部に縫着される裾布を三枚の独立した裾布ピースで構成し、
後身頃本体の裾部に縫着される裾布ピースの凹円弧辺の半径が、裾布ピースの反対側の凸円弧辺の半径より大に構成され、且つ、
凹円弧辺の長さが凸円弧辺の長さよりそれぞれ大に形成されていることを特徴とする女性用下着。
【請求項２】
請求項１に記載の女性用下着において、後身頃本体の裾部の凸円弧辺の半径が、該凸円弧辺に縫着される裾布ピースの凹円弧辺の半径より大に構成されていることを特徴とする女性用下着。
【請求項３】
請求項１または２に記載の女性用下着において、裾布ピースは凹円弧辺に沿う方向の伸縮性が、凹円弧辺に対して直角方向の伸縮性より大なパワーネット地で構成されていることを特徴とする女性用下着。
【請求項４】
請求項１〜３のいずれかに記載の女性用下着において、後身頃本体が左右に分割され、後身頃半体のマチ側の縫着部分にギャザリング部を設けたことを特徴とする女性用下着。
【発明の詳細な説明】
【技術分野】
【０００１】
本発明はパンティ、ショートレングスのガードル、ボディシェイパー、ボディスーツ等の女性用下着に関し、特に、これらの女性用下着のヒップ側裾部の着用感に優れた女性用下着に関するものである。
【背景技術】
【０００２】
従来、この種のパンティやショートレングスのガードル等の女性用下着としては、織地やパワーネット地等からなる表地を、所定の形状に裁断し、これらを縫着するとともに、下着の足口部分のエッジを処理するため、表地の端部を５〜６ｍｍの幅で折り返し、その始末を兼ねてストレッチテープを裏打ちして縫い止めるように構成されている。
【０００３】
この場合、足口部分のエッジを処理するために、表地の端部を５〜６ｍｍの幅で折り返し、その始末を兼ねてストレッチテープを裏打ちして縫い止めるように構成されているが、その為に裾部が肉厚になり、表着に響くばかりかゴロツキ感を与えると共に物理的な圧迫感等の刺激を与え、着用感が悪いという問題点がある。これに加えてエッジの縫製処理工程は、通常二工程となり、製造コストを高めると共に技術を要するという問題点があった。
【０００４】
これを解消するものとして、特許文献１に開示されたものがある。即ち、布地を折り返し、これを裁断して前身頃と後身頃の半分づつを二重構造で構成し、足口部分となる部分を直線状の折り返し部分で構成できるように前身頃と後身頃の半分づつを前身頃と後身頃の中央ラインで縫着して女性用下着を構成している。これにより、足口部分は折り返しで構成されていることになるので、非常にすっきりとした構成となる。
【先行技術文献】
【特許文献】
【０００５】
【特許文献１】特開平１１-３５０２０６号公報
【０００６】
しかしながら、前述のような直線状の折り返し部分を環状に縫い合わせて足口部分を構成しているものであるから、どうしてもヒップに対して立体的に構成できず、丸いヒップ全体を包み込むというフィーリングを実現することができず、ヒップからヒップ側裾部にかけてのフィット感がなく、着心地の点で問題があった。
【発明の概要】
【発明が解決しようとする課題】
【０００７】
本発明はこのような従来技術の問題点に鑑みてなされたもので、ヒップからヒップ側裾部にかけてのフィット感を高めた女性用下着を提供するにある。
【課題を解決するための手段】
【０００８】
請求項１に記載の発明は、マチ３を介して前身頃１と後身頃２とを縫着し、且つ、腰部で前身頃１と後身頃２とを縫着して形成した女性用下着Ａであって、
ヒップを覆う後身頃本体２０の裾部２１に縫着される裾布３０を三枚の独立した裾布ピース３１，３２，３３で構成し、
後身頃本体２０の裾部２１に縫着される裾布ピース３１，３２，３３の凹円弧辺３１ａ，３２ａ，３３ａの半径Ｒ１が、裾布ピース３１，３２，３３の反対側の凸円弧辺３１ｂ，３２ｂ，３３ｂの半径Ｒ２より大に構成され、且つ、
凹円弧辺３１ａ，３２ａ，３３ａの長さが凸円弧辺３１ｂ，３２ｂ，３３ｂの長さよりそれぞれ大に形成されていることを特徴とする。
【０００９】
請求項２に記載の発明は、請求項１において、後身頃本体２０の裾部２１の凸円弧辺２１ａの半径Ｒ０が、該凸円弧辺２１ａに縫着される裾布ピース３１，３２，３３の凹円弧辺３１ａ，３２ａ，３３ａの半径Ｒ１より大に構成されていることを特徴とする。
【００１０】
請求項３に記載の発明は、請求項１または２において、裾布ピース３１，３２，３３は凹円弧辺３１ａ，３２ａ，３３ａに沿う方向の伸縮性Ｓ１が、凹円弧辺３１ａ，３２ａ，３３ａに対して直角方向の伸縮性Ｓ２より大なパワーネット地で構成されていることを特徴とする。
【００１１】
請求項４に記載の発明は、請求項１〜３のいずれかにおいて、後身頃本体２０が左右に分割され、後身頃半体２０ａ，２０ｂのマチ３側の縫着部分２ｆにギャザリング部２ｇを設けたことを特徴とする。
【発明の効果】
【００１２】
請求項１にあっては、後身頃本体２０の裾部２１に縫着される裾布３０を三枚の独立した裾布ピース３１，３２，３３で構成し、この裾布ピース３１，３２，３３の凹円弧辺３１ａ，３２ａ，３３ａの半径Ｒ１が、裾布ピース３１，３２，３３の反対側の凸円弧辺３１ｂ，３２ｂ，３３ｂの半径Ｒ２より大に構成され、且つ、凹円弧辺３１ａ，３２ａ，３３ａの長さが凸円弧辺３１ｂ，３２ｂ，３３ｂの長さよりそれぞれ大に形成されているので、凹円弧辺３１ａ，３２ａ，３３ａを後身頃本体２０の裾部２１に縫着すると、縫着された凹円弧辺３１ａ，３２ａ，３３ａの全長に比べて反対側の凸円弧辺３１ｂ，３２ｂ，３３ｂの全長の方が短くなるため、ヒップ側の裾部分が絞られた状態、即ち、後身頃本体２０を中心に裾布ピース３１，３２，３３側が絞られた袋状になり、丸いヒップからヒップ側の裾部分にかけて包み込むようにぴったりとフィットし、この部分のフィット性が大幅に向上する。
【００１３】
後身頃本体２０の裾部２１の凸円弧辺２１ａの半径Ｒ０が、後身頃本体２０の裾部２１の凸円弧辺２１ａに縫着される裾布ピース３１，３２，３３の凹円弧辺３１ａ，３２ａ，３３ａの半径Ｒ１より大に構成されておれば、更にそのフィット性が向上する。
【００１４】
そして、裾布ピース３１，３２，３３の伸縮性において、凹円弧辺３１ａ，３２ａ，３３ａに沿う方向の伸縮性Ｓ１が、凹円弧辺３１ａ，３２ａ，３３ａに対して直角方向の伸縮性Ｓ２より大なパワーネット地で構成されておれば、この部分が足にぴったりとフィットするだけでなく、歩行時の足の動きによく追従し、歩きやすい。
【００１５】
加えて、後身頃本体２０が左右に分割され、後身頃半体２０ａ，２０ｂのマチ３側の縫着部分２ｆにギャザリング部２ｇを設けておけば、多様なヒップ形状に対応することができる。
【図面の簡単な説明】
【００１６】
【図１】本発明のレース地を取り除いた状態の正面図である。
【図２】本発明のレース地を取り除いた状態の背面図である。
【図３】本発明のレース地を取り除いた状態の側面図である。
【図４】本発明の分解図である。
【図５】本発明の正面図である。
【発明を実施するための形態】
【００１７】
以下、本発明を図面に従って説明する。本発明の女性用下着Ａは、パンティ、ショートレングスのガードル、ボディシェイパー、ボディスーツ等に適用できるが、本実施例ではパンティをその代表例として説明する。本発明の女性用下着Ａは、主として前身頃１、後身頃２及びマチ３並びに必要に応じて設けられる腹帯４、表面に縫着されるレース地７とで構成される。
【００１８】
前身頃１は、前身頃本体１１、前身頃本体１１の外面側に縫着されるレース地７及び前身頃本体１１と最外面のレース地７との間にて前身頃本体１１に縫着される補強用パワーネット１２と左右一対の鼠蹊部用ピース１３とで構成されている。前身頃本体１１の形状は、端部が切除された略三角形で縦横に均等に伸びる布地で形成されており、表面側にレース地７が縫着されている。伸びをＳ３で示す。
【００１９】
補強用パワーネット１２は、前身頃本体１１の上辺１１ａから腰部辺１１ｂ、鼠蹊辺１１ｃの中央部分を通って下腹部までの面積を覆うように設けてあり、下腹部では鼠蹊辺１１ｃの中央部分から前身頃本体１１の中央に至る下辺がＶ形にて前身頃本体１１に縫着されている。補強用パワーネット１２の伸びは縦より横の方が伸びやすく、横方向にあっても前身頃本体１１より小であって伸びにくく、腹部を押さえる働きをなす。横伸びをＳ１，縦伸びをＳ２で示す。使用されるパワーネット地は切り端がほつれにくく、切り端の折り返しなしでそのまま縫着できる。
【００２０】
鼠蹊部用ピース１３は、前身頃本体１１と同じ布地で、細長いピースで長方向中央ラインで２つ折りにし、２つ折りの２重辺１３ａを鼠蹊部の足口側にし、２重に重ね合された切放し辺１３ｂを前身頃本体１１の鼠蹊辺１１ｃに縫着する。
【００２１】
後身頃２は、後身頃本体２０、裾布３０を構成する三枚の独立した裾布ピース３１，３２，３３及び裾布３０の上に縫着されるレース地７で構成される。後身頃本体２０は前身頃本体１１と同じ布地で形成されている。本実施例では更に左右分割されている。それぞれを後身頃半体２０ａ、２０ｂとする。勿論、後身頃本体２０を１枚もので構成してもよい。後身頃本体２０の形状も、端部を切除した略三角形をしており、後身頃半体２０ａ、２０ｂがその中央で縫着されている。後身頃本体２０の裾部２１は若干外側に膨らんだ凸円弧状をなし、その半径をＲ０とする。ただし、該凸円弧は正確な円弧ではなく、外側に膨らんでいるというような形状である。従って、半径Ｒ０も正確に中心が求められるというものではなく、該凸円弧を概略描くことができる程度の半径で足る。この点は裾布ピース３１，３２，３３の凹円弧辺３１ａ，３２ａ，３３ａの半径Ｒ１、反対側の凸円弧辺３１ｂ，３２ｂ，３３ｂの半径Ｒ２についても言えることである。そして、後身頃半体２０ａ、２０ｂの縫着部分２ｆのマチ側部分にて全長の半分に多段のギャザーを設けて伸縮性を与えたギャザリング部２ｇが形成されている。後身頃本体２０は１枚もので構成されている。ギャザーはマチ３の近傍部分（全体の１／３）は大きく、そこから離れ上に向かうに従って小さくなる。
【００２２】
裾布３０は３分割された裾布ピース３１，３２，３３で構成されている。裾布ピース３１，３２，３３は後身頃本体２０の裾部２１の凸円弧辺２１ａに沿うように細長いパワーネット地で構成されている。形状は略扇形に裁断されており、後身頃本体２０の凸円弧辺２１ａに縫着される凹円弧辺３１ａ，３２ａ，３３ａの長さが、その反対側のフリーな凸円弧辺３１ｂ，３２ｂ，３３ｂの長さよりそれぞれ大に形成されている。そして、裾布ピース３１，３２，３３の凹円弧辺３１ａ，３２ａ，３３ａの半径Ｒ１が、裾布ピース３１，３２，３３の反対側の凸円弧辺３１ｂ，３２ｂ，３３ｂの半径Ｒ２より大に構成されている。半径Ｒ１、Ｒ２は前述のように各円弧が正確な円弧ではなく、内側又は外側に膨らんでいるというような形状であり、半径Ｒ１、Ｒ２の中心が正確に求められるというものではなく、該円弧を概略描くことができる程度の半径で足る。裾布ピース３１，３２，３３は切放し端がほつれにくいので、折り返してもよいが、本実施例では折り返すことなく切放しのままそれぞれ後身頃本体２０の裾部２１に縫着され、且つ互いに隣接する辺同士が縫着されて左右一対の１枚の裾布３０を構成することになる。なお、この場合は裾布３０の表面側にレース地７が縫着される。伸縮性はいずれも凹円弧辺３１ａ，３２ａ，３３ａに沿う方向Ｓ１が、これに直角な方向Ｓ２に比べて大である。
【００２３】
マチ３は分銅型に構成され、前身頃１と後身頃２の股の部分で縫着される。そして、前身頃１と後身頃２は腰部で縫着される。
【００２４】
腹帯４は細長い帯状のもので、必要に応じて設けられる。材質は前身頃１と同じものが使用されている。そして、足口においては、鼠蹊部用ピース１３を除き、マチ３から裾布３０の端部全長に伸縮テープ５が縫着されている。また、後身頃本体２０にあっては、縫着部分２ｆ及び腹帯４の上端まで伸縮テープ５が縫着されている。
【００２５】
このように構成された女性用下着Ａは、後身頃２が球体（ヒップ）にフィットするように縦横に均等に伸びて膨らみ、後身頃２の裾布ピース３１，３２，３３で構成された裾部２１が絞られて収納された球体（ヒップ）を包み込むようになり、ヒップからヒップ側裾部にかけて高いフィット感を生み出す。そして、裾布ピース３１，３２，３３の凹円弧辺３１ａ，３２ａ，３３ａに沿う方向の高い伸縮性Ｓ１が足にぴったりとフィットして歩行時の足の動きによく追従し、歩行性を高める。鼠蹊部は２つ折りの２重辺１３ａが柔らかく接触するので押圧による違和感を与えない。腹部は補強用パワーネット１２により適度に押さえこまれる。この補強用パワーネット１２は横方向Ｓ１の伸びが縦方向Ｓ２の伸びより大なので、あらゆる体型にもフィットするだけでなく、歩行時のズリ下がりも防止できる。
【符号の説明】
【００２６】
１：前身頃、２：後身頃、２ｆ：縫着部分、２ｇ：ギャザリング部、３：マチ、４：腹帯、５：伸縮テープ、７：レース地、１１：前身頃本体、１１ａ：上辺、１１ｂ：腰部辺、１１ｃ：鼠蹊辺、１２：補強用パワーネット、１３：鼠蹊部用ピース、１３ａ：２つ折りの２重辺、１３ｂ：２重に重ね合された切放し辺、２０：後身頃本体、２０ａ：後身頃半体、２０ｂ：後身頃半体、２１ａ：凸円弧辺、２１：裾部、３０：裾布、３１・３２・３３：裾布ピース、３１ａ・３２ａ・３３ａ：凹円弧辺、３１ｂ・３２ｂ・３３ｂ：凸円弧辺，Ａ：女性用下着、Ｒ０・Ｒ１・Ｒ２：半径、Ｓ１・Ｓ２・Ｓ３：伸縮性又は伸縮方向。
【図１】
2015025219.tif 000003
【図２】
2015025219.tif 000004
【図３】
2015025219.tif 000005
【図４】
2015025219.tif 000006
【図５】
2015025219.tif 000007